(57)【要約】【課題】浴室用椅子以外の部材を要さず、邪魔にならずに収納することができる浴室用椅子を提供すること。【解決手段】浴室用椅子１は、板状の座部１０と、座部１０の両端に座部１０に対して回動可能に設けられた２の板状の脚部２０とを備え、前記回動は座部１０と脚部２０との境界に沿った回動軸Ｒを中心として回動するものであり、前記回動によって、座部１０と２の脚部２０とを合わせて、椅子の形状とすることと、１枚の板状とすることとができる。【選択図】図１
2020146414.tif 000002
【特許請求の範囲】
【請求項１】
板状の座部と、
前記座部の両端に前記座部に対して回動可能に設けられた２の板状の脚部とを備え、
前記回動は前記座部と前記脚部との境界に沿った回動軸を中心として回動するものであり、
前記回動によって、前記座部と２の前記脚部とを合わせて１枚の板状とすることができることを特徴とする、浴室用椅子。
【請求項２】
前記座部と２の前記脚部とを合わせて１枚の板状とした状態において、前記座部の表面と前記脚部の表面とが０．５ｍｍ以上の幅の空隙を有さずに密接し、前記座部の裏面と前記脚部の裏面とが０．５ｍｍ以上の幅の空隙を有さずに密接することを特徴とする、請求項１に記載の浴室用椅子。
【請求項３】
前記座部と２の前記脚部とは、１枚の板を分割して得られる形状であり、
前記座部と前記脚部のうち１とを貫通する２の前記回動軸を備えることを特徴とする、請求項２に記載の浴室用椅子。
【請求項４】
前記座部と２の前記脚部とを合わせて１枚の板状とした状態における板の厚み方向の断面において、
前記座部と２の前記脚部とのいずれか一方が裏面に位置する前記回動軸を中心として板の厚みの全体にわたる扇形の凸部を有し、
他方が前記凸部に係合する凹部を有することを特徴とする、請求項３に記載の浴室用椅子。
【請求項５】
前記座部と２の前記脚部との接続部を被覆し、一端が前記座部に接合し、他端が前記脚部に接合し、前記一端と前記他端との間で伸縮性を有するシートを、各々の接続部の表面及び裏面の４枚備えることを特徴とする、請求項１に記載の浴室用椅子。
【請求項６】
前記座部及び前記脚部が、共にアクリル製又はポリプロピレン製であることを特徴とする、請求項１〜５のいずれか１項に記載の浴室用椅子。
【発明の詳細な説明】
【技術分野】
【０００１】
本発明は、浴室で使用される浴室用椅子に関する。
【背景技術】
【０００２】
従来、浴室で使用される椅子は、浴室の掃除をする時やシャワーを浴びる時に邪魔になるという問題があった。また、水分が当該椅子の座部と脚部との接続部分等に残り、カビが生えやすく、手入れに手間がかかるという問題があった。
【０００３】
コンパクトに折り畳んで収納できる浴室用椅子としては、例えば、特許文献１に記載のものがある。特許文献１に記載の浴室用椅子は、水平部材と当該水平部材から垂下する足部材とで構成され、浴室の壁面に固定された固定部材に当該水平部材を取り付けるようになっている。
【先行技術文献】
【特許文献】
【０００４】
【特許文献１】特開２００１−３２７４１９号公報
【発明の概要】
【発明が解決しようとする課題】
【０００５】
しかしながら、特許文献１に記載の浴室用椅子を浴室に設置するためには、固定部材を浴室の壁面に取り付ける必要があり、浴室の壁面の材質や状態によっては固定部材を取り付けることができないという問題があった。また、固定部材を浴室の壁面に取り付けるためには、当該壁面に接着剤を塗布したり釘等を打ち付ける必要があり、壁面が傷ついてしまうという問題があった。
【０００６】
本発明は、浴室用椅子以外の部材を要さず、邪魔にならずに収納することができる浴室用椅子を提供することを課題とする。また、本発明は、カビが生え難い浴室用椅子を提供することを課題とする。
【課題を解決するための手段】
【０００７】
本発明の浴室用椅子は、
板状の座部と、
前記座部の両端に前記座部に対して回動可能に設けられた２の板状の脚部とを備え、
前記回動は前記座部と前記脚部との境界に沿った回動軸を中心として回動するものであり、
前記回動によって、前記座部と２の前記脚部とを合わせて１枚の板状とすることができることを特徴とする。
【０００８】
この特徴によれば、前記回動によって、各脚部を座部に対して直角に立てて浴室内で使用することも、浴室用椅子を１枚の板状として収納することもでき、使用が容易で邪魔にならずに収納することができる。
【０００９】
本発明の浴室用椅子は、
前記座部と２の前記脚部とを合わせて１枚の板状とした状態において、前記座部の表面と前記脚部の表面とが０．５ｍｍ以上の幅の空隙を有さずに密接し、前記座部の裏面と前記脚部の裏面とが０．５ｍｍ以上の幅の空隙を有さずに密接することを特徴とする。
【００１０】
この特徴によれば、座部と脚部との境界に空隙がほとんど形成されないように密接させることで、座部と脚部との境界にカビが生え難く、手入れが簡単である。
【００１１】
本発明の浴室用椅子は、
前記座部と２の前記脚部とは、１枚の板を分割して得られる形状であり、
前記座部と前記脚部のうち１とを貫通する２の前記回動軸を備えることを特徴とする。
【００１２】
この特徴によれば、１枚の板を分割して、浴室用椅子を容易に製造することができる。
【００１３】
本発明の浴室用椅子は、
前記座部と２の前記脚部とを合わせて１枚の板状とした状態における板の厚み方向の断面において、
前記座部と２の前記脚部とのいずれか一方が裏面に位置する前記回動軸を中心として板の厚みの全体にわたる扇形の凸部を有し、
他方が前記凸部に係合する凹部を有することを特徴とする。
【００１４】
この特徴によれば、前記回動により、座部と脚部との角度を９０°とした時も、１８０°としたときも、浴室用椅子の表面における座部と脚部との境界部に凹凸ができず、表面をなめらかに連続させることができる。
【００１５】
本発明の浴室用椅子は、
前記座部と２の前記脚部との接続部を被覆し、一端が前記座部に接合し、他端が前記脚部に接合し、前記一端と前記他端との間で伸縮性を有するシートを、各々の接続部の表面及び裏面の４枚備えることを特徴とする。
【００１６】
この特徴によれば、伸縮性を有するシートにより、座部と脚部との角度を９０°とした時も１８０°としたときも、浴室用椅子の表裏面とも、座部と脚部との境界部に凹凸ができず、なめらかに連続させることができる。
【００１７】
本発明の浴室用椅子は、
前記座部及び前記脚部が、共にアクリル製又はポリプロピレン製であることを特徴とする。
【００１８】
この特徴によれば、座部及び脚部がカビが生え難く汚れが落ちやすい素材で形成されているため、容易に手入れができる。
【発明の効果】
【００１９】
本発明によれば、各脚部を座部に対して直角に立てて浴室内で使用することも、浴室用椅子を１枚の板状として収納することもでき、使用が容易で邪魔にならずに収納することができる。
【図面の簡単な説明】
【００２０】
【図１】図１は、浴室用椅子を腰掛け可能に設置した状態の斜視図である。（実施例１）
【図２】図２は、浴室用椅子を１枚の板状とした状態の斜視図である。（実施例１）
【図３】図３（ａ）は図１のＡ−Ａ方向に沿った断面図であり、図３（ｂ）は図１のＢ−Ｂ方向に沿った断面図である。（実施例１）
【図４】図４（ａ）は図２のＡ−Ａ方向に沿った断面図であり、図４（ｂ）は図２のＢ−Ｂ方向に沿った断面図である。（実施例１）
【図５】図５は、浴室用椅子を腰掛け可能に設置した状態の斜視図である。（実施例２）
【図６】図６は、浴室用椅子を１枚の板状とした状態の斜視図である。（実施例２）
【図７】図７（ａ）は図５のＡ−Ａ方向に沿った断面図であり、図７（ｂ）は図５のＢ−Ｂ方向に沿った断面図である。（実施例２）
【図８】図８（ａ）は図６のＡ−Ａ方向に沿った断面図であり、図８（ｂ）は図６のＢ−Ｂ方向に沿った断面図である。（実施例２）
【図９】図９（ａ）は浴室用椅子を腰掛け可能に設置した状態の斜視図であり、図９（ｂ）は浴室用椅子を１枚の板状とした状態を表側から見た斜視図であり、図９（ｃ）は浴室用椅子を１枚の板状とした状態を裏側から見た斜視図である。（実施例３）
【発明を実施するための形態】
【００２１】
以下、本発明の実施例について図面を参照して詳細に説明する。
【実施例１】
【００２２】
図１は、本実施例に係る浴室用椅子１を腰掛け可能に設置した状態の斜視図であり、図２は当該浴室用椅子１を１枚の板状とした状態の斜視図である。図３（ａ）は図１のＡ−Ａ方向に沿った断面図であり、図３（ｂ）は図１のＢ−Ｂ方向に沿った断面図である。図４（ａ）は図２のＡ−Ａ方向に沿った断面図であり、図４（ｂ）は図２のＢ−Ｂ方向に沿った断面図である。
【００２３】
図１及び図２に示すように、浴室用椅子１は板状の座部１０と、当該座部１０の両端に当該座部１０に対して回動可能に設けられた２の板状の脚部２０と、を備えている。座部１０及び脚部２０の素材は、共にアクリル製又はポリプロピレン製である。
【００２４】
座部１０と２の脚部２０とは、１枚の矩形の板を分割して得られる形状である。
【００２５】
座部１０は、矩形の板の両端部各々に、当該端部の縁に沿って凸部１１ａと凹部１１ｂとが交互に複数配置された形状である。凸部１１ａ及び凹部１１ｂの数は、当該端部の長さ等によって任意に設定することができる。
【００２６】
脚部２０は、矩形の板の１端部に、座部１０の凸部１１ａ及び凹部１１ｂにそれぞれ係合する凹部２１ａ及び凸部２１ｂが、当該端部の縁に沿って交互に複数配置された形状である。
【００２７】
座部１０の凸部１１ａ及び凹部１１ｂに脚部２０の凹部２１ａ及び凸部２１ｂを係合させた状態で、脚部２０は座部１０に対して回動可能である。当該回動は、図３及び図４に示すように、座部１０と脚部２０との境界に沿った回動軸Ｒを中心として回動するものである。
【００２８】
２の各脚部２０を座部１０に対して９０°となるように回動させると、図１に示す状態となり、図１のＡ−Ａ方向の断面、及び、図１のＢ−Ｂ方向の断面は、それぞれ図３（ａ）及び図３（ｂ）に示す状態となる。この状態では、脚部２０を浴室内に立てて、浴室用椅子１を浴室に配置することができる。
【００２９】
一方、２つの各脚部２０を座部１０の面に対して１８０°となるように回動させると、図２に示すように浴室用椅子１は座部１０と２の脚部２０とを合わせて１枚の板状となり、図２のＡ−Ａ方向の断面、及び、図２のＢ−Ｂ方向の断面は、それぞれ図４（ａ）及び図４（ｂ）に示す状態となる。このように、回動によって浴室用椅子１を１枚の板状とすることができるため、浴室用椅子１に腰掛ける必要のない時には、１枚の板状にした状態で浴室用椅子１を浴室の壁に立て掛ける等して収納することができ、邪魔にならない。また、浴室用椅子１の掃除をする際には、１枚の板状にした状態で表裏面に軽くシャワーをかけて拭くだけで汚れが落ち、手入れが簡単である。
【００３０】
なお、座部１０と２の脚部２０とを合わせて１枚の板状とした状態においては、座部１０の表面と脚部２０の表面とは０．５ｍｍ以上の幅の空隙を有さずに密接し、座部１０の裏面と脚部２０の裏面とが０．５ｍｍ以上の幅の空隙を有さずに密接するのが好ましい。このように、座部１０と脚部２０との境界に空隙がほとんど形成されないように密接させることで、座部１０と脚部２０との境界に水が侵入し難いため、カビが生え難く、手入れが簡単である。
【００３１】
浴室用椅子１の製造時には、１枚の矩形の板を、両端部に凸部１１ａ及び凹部１１ｂを形成した１枚の座部１０と、１端部に凹部２１ａ及び凸部２１ｂを形成した２枚の脚部２０と、の３枚に分割して、座部１０の両端部の凸部１１ａ及び凹部１１ｂに脚部２０の凹部２１ａ及び凸部２１ｂをそれぞれ係合させることで、容易に椅子１を製造することができる。
【００３２】
なお、回動の際に座部１０と脚部２０とが分離しないように、回転軸Ｒに沿った位置に棒状体を挿入することが好ましい。
【００３３】
以上説明したように、２の各脚部２０を座部１０に対して回動可能とすることで、各脚部２０を座部１０に対して９０°の角度にして浴室用椅子１を浴室内で使用することも、各脚部２０を座部１０に対して１８０°の角度にして１枚の板状として収納することもできるため、使用が容易であり、かつ、邪魔にならずに収納することができる。また、座部１０と脚部２０との境界に空隙がほとんど形成されないように密接させることで、座部１０と脚部２０との境界に水が侵入し難くカビが生え難いため、手入れが簡単である。
【実施例２】
【００３４】
次に、実施例２について説明する。実施例１において説明したことはそのまま用いられる。実施例１との相違を中心に説明し、共通の部分は詳細な説明を省略する。
【００３５】
図５は、本実施例に係る浴室用椅子１Ａを腰掛け可能に設置した状態の斜視図であり、図６は、浴室用椅子１Ａを１枚の板状とした状態の斜視図である。図７（ａ）は図５のＡ−Ａ方向に沿った断面図であり、図７（ｂ）は図５のＢ−Ｂ方向に沿った断面図である。図８（ａ）は図６のＡ−Ａ方向に沿った断面図であり、図８（ｂ）は図６のＢ−Ｂ方向に沿った断面図である。
【００３６】
本実施例においても、実施例１と同様に、座部３０は矩形の板の両端部の縁に沿って凸部３１ａ及び凹部３１ｂが交互に配置された形状であり、脚部４０は矩形の板の１端部に、座部３０の凸部３１ａ及び凹部３１ｂにそれぞれ係合する凹部４１ａ及び凸部４１ｂが交互に形成された形状である。
【００３７】
図７及び図８に示すように、本実施例では、回動軸Ｒ１は座部３０及び脚部４０の裏面に存在する。
【００３８】
また、凸部３１ａ及び凸部４１ｂは、回動軸Ｒ１を中心とした扇形の形状を有している。
【００３９】
詳細には、座部３０と２の脚部４０とを合わせて１枚の板状とした状態における図６のＡ−Ａ方向に沿った断面部分について説明すると、図８（ａ）に示すように、座部３０には回動軸Ｒ１を中心として板の厚みの全体にわたる扇形の凸部３１ａが設けられており、脚部４０には当該凸部３１ａに係合する凹部４１ａが設けられている。
【００４０】
また、座部３０と２の脚部４０とを合わせて１枚の板状とした状態における図６のＢ−Ｂ方向に沿った断面部分については、図８（ｂ）に示すように、脚部４０には回動軸Ｒ１を中心として板の厚みの全体にわたる扇形の凸部４１ｂが設けられ、座部３０には脚部４０の凸部４１ｂに係合する凹部３１ｂが設けられている。
【００４１】
このような形状の互いに係合する凸部３１ａと凹部４１ａ、及び、凸部４１ｂと凹部３１ｂを設けることにより、回動により座部３０と脚部４０との角度を９０°とした時も、１８０°としたときも、座部３０と脚部４０との境界部のうち表面側に凹凸ができず、表面をなめらかに連続させることができる。
【実施例３】
【００４２】
次に、実施例３について説明する。実施例１において説明したことはそのまま用いられる。実施例１との相違を中心に説明し、共通の部分は詳細な説明を省略する。
【００４３】
図９（ａ）は本実施例に係る浴室用椅子１Ｂを腰掛け可能に設置した状態の斜視図であり、図９（ｂ）は浴室用椅子１Ｂを１枚の板状とした状態を表側から見た斜視図であり、図９（ｃ）は浴室用椅子１Ｂを１枚の板状とした状態を裏側から見た斜視図である。
【００４４】
本実施例では、座部１０と２の脚部２０との各接続部の表裏をそれぞれ被覆するシート５０が合計４枚設けられている。各シート５０は、一端が座部１０に接合し、他端が脚部２０に接合し、前記一端と前記他端との間で伸縮性を有する。
【００４５】
このようなシート５０を設けることで、座部１０と脚部２０との角度を９０°直角とした時も１８０°としたときも、浴室用椅子１Ｂの表裏面とも、座部１０と脚部２０との境界部に凹凸ができず、なめらかに連続させることができる。
【産業上の利用可能性】
【００４６】
本発明に係る浴室用椅子は、浴室の壁に固定部材を設けなくても、あらゆるタイプの浴室で広く利用することができる。かつ、邪魔にならずに収納することができる。また、カビが生え難い浴室用椅子である。
【符号の説明】
【００４７】
１、１Ａ、１Ｂ  浴室用椅子
１０    座部
１１ａ  凸部
１１ｂ  凹部
２０    脚部
２１ａ  凹部
２１ｂ  凸部
３０    座部
３１ａ  凸部
３１ｂ  凹部
４０    脚部
４１ａ  凹部
４１ｂ  凸部
５０    シート
【図１】
2020146414.tif 000003
【図２】
2020146414.tif 000004
【図３】
2020146414.tif 000005
【図４】
2020146414.tif 000006
【図５】
2020146414.tif 000007
【図６】
2020146414.tif 000008
【図７】
2020146414.tif 000009
【図８】
2020146414.tif 000010
【図９】
2020146414.tif 000011